(57)【特許請求の範囲】
【請求項１】
背もたれ部全体を傾動可能にした担架と、
該担架を受ける受け部が内方に設けられる浴槽と、を備え、
前記受け部上に前記担架を載せた状態で前記浴槽を上昇動作させて入浴を行う入浴装置であって、
前記背もたれ部の入浴者の背中が載置される部分を少なくとも二つ以上の部分に分割するとともに、各部分の間を関節軸を介して連結し、
前記分割された部分の内、少なくとも背中の上部が載置される載置部分の水平線に対する傾斜角度を、前記浴槽の上昇動作に随伴して、他の部分の水平線に対する傾斜角度より増角して傾動させて入浴できるようにし、
前記担架に、前記載置部分が前記他の部分に対して前記浴槽の上昇動作以外の動作によって傾動することを防止する傾動防止手段を備え、
前記傾動防止手段は、前記浴槽の上昇動作によって自動的に解除され、下降動作によって自動的に設定されることを特徴とする入浴装置。
【請求項２】
請求項１記載の入浴装置と、
前記担架を上方に載置支持するストレッチャーと、を備え、
前記ストレッチャーを前記浴槽に横付けした状態で、前記担架を前記受け部上と前記ストレッチャー上との間で受け渡し可能とした入浴システムであって、
前記ストレッチャー上において前記担架の載置面をフルフラット状態にできることを特徴とする入浴システム。
【請求項３】
請求項２記載の入浴システムにおいて、
前記担架は前記フルフラット状態以外の姿勢で前記受け部上と前記ストレッチャー上との間で受け渡しされることを特徴とする入浴システム。
【発明の詳細な説明】
【技術分野】
【０００１】
本発明は、高齢者や身体障害者等の入浴者を仰臥位姿勢で浴槽に浸漬させ入浴させる入浴装置及び入浴システムに関するものである。
【背景技術】
【０００２】
従来より、仰臥位姿勢の入浴者を載せた担架を浴槽内の支持台上に移乗させた後、浴槽を昇降機構により上昇させて入浴者を入浴させる入浴装置が知られている。この入浴装置では、浴槽の上昇に随伴して担架の背もたれ部の下面が浴槽内壁に当接して押し上げられ、背もたれ部が一定角度まで自動リクライニングする構成となっている。
【先行技術文献】
【非特許文献】
【０００３】
【非特許文献１】ＧＥＮＥＲＡＬ  ＣＡＴＡＬＯＧ２００９、オージー技研株式会社、６３〜６８頁
【発明の概要】
【発明が解決しようとする課題】
【０００４】
しかし、従来の入浴装置にあっては、背もたれ部全体が座部に対して一軸の関節軸を支点としてリクライニング自在に構成されているのみであるから、特に、低身長者の入浴者が入浴する場合に、後頭部や耳が湯に浸かってしまう危険性があり、安全性の面で課題を有していた。
【０００５】
また、後頭部や耳が湯に浸からないリクライニング角度にして入浴を行う場合には、湯面から入浴者の肩が出てしまい充分に湯に浸かって入浴ができないものとなっていた。
【０００６】
本発明は上記事情に鑑みてなされたもので、入浴者の後頭部や耳が湯に浸かることなく安全に入浴を行えるようにするとともに、肩まで湯に充分浸かることができる入浴装置及び入浴システムを提供することを目的とする。
【課題を解決するための手段】
【０００７】
上記目的を実現する為、請求項１記載の発明は、
背もたれ部全体を傾動可能にした担架と、
該担架を受ける受け部が内方に設けられる浴槽と、を備え、
前記受け部上に前記担架を載せた状態で前記浴槽を上昇動作させて入浴を行う入浴装置であって、
前記背もたれ部の入浴者の背中が載置される部分を少なくとも二つ以上の部分に分割するとともに、各部分の間を関節軸を介して連結し、
前記分割された部分の内、少なくとも背中の上部が載置される載置部分の水平線に対する傾斜角度を、前記浴槽の上昇動作に随伴して、他の部分の水平線に対する傾斜角度より増角して傾動させて入浴できるようにし、
前記担架に、前記載置部分が前記他の部分に対して前記浴槽の上昇動作以外の動作によって傾動することを防止する傾動防止手段を備え、
前記傾動防止手段は、前記浴槽の上昇動作によって自動的に解除され、下降動作によって自動的に設定されることを特徴とする。
【０００８】
請求項２記載の発明は、
請求項１記載の入浴装置において、
前記担架を上方に載置支持するストレッチャーと、を備え、
前記ストレッチャーを前記浴槽に横付けした状態で、前記担架を前記受け部上と前記ストレッチャー上との間で受け渡し可能とした入浴システムであって、
前記ストレッチャー上において前記担架の載置面をフルフラット状態にできることを特徴とする入浴システムである。
【０００９】
請求項３記載の発明は、
請求項２記載の入浴装置において、 
前記担架はフルフラット状態以外の姿勢で前記受け部上と前記ストレッチャー上との間で受け渡しされることを特徴とする。
【発明の効果】
【００１０】
請求項１記載の発明によれば、前記分割された部分の内、少なくとも背中の上部が載置される載置部分の水平線に対する傾斜角度を、他の部分の水平線に対する傾斜角度より増角して傾動させて入浴できるようにしたので、入浴者の後頭部や耳が湯に浸かる心配はなく、安全に入浴を行うことができる。また、円背（猫背）の入浴者が入浴を行う場合であっても、背もたれ部が入浴者の背形状により沿い易くなるので、背中が背もたれ部で密着支持され安定した姿勢で入浴が行えることになる。
【００１１】
また、浴槽の上昇動作に随伴して、背もたれ部上における入浴者の頭部が載置される載置部分の水平線に対する傾斜角度を他の部分の水平線に対する傾斜角度より増角して傾動させるようにしたので、前記載置部分の背もたれ部の傾動を入浴介助者が手動操作で行う必要性はなく、操作手数を軽減することができる。
【００１２】
また、担架に、背もたれ部上における入浴者の頭部が載置される載置部分が前記背もたれ部の他の部分に対して前記浴槽の上昇動作以外の動作によって傾動することを防止する傾動防止手段を備えたものであるから、前記載置部分が不用意に傾動することはなく、よって入浴者が不安感等を感じることはない。
【００１３】
従来の担架では、背もたれ部が間接軸を有しない一体構成になっていたことにより、入浴時に入浴者の後頭部や耳が湯に浸からないようにするため、背もたれ面を予め湾曲状に形成しておく必要があり、これが担架の載置面をフルフラット状態にすることができない一因となっていたが、請求項２記載の発明によれば、これを払拭することができ、寝台等に寝る入浴者を担架上へ移乗させる動作が行い易くなり、ゆえに、入浴介助者の労力も軽減できる。
【００１４】
請求項３記載の発明によれば、担架はフルフラット状態以外の姿勢で受け部上とストレッチャー上との間で受け渡しされるので、担架の受け渡し時において頭部が下方に下がっているという錯覚を入浴者が体感し難くなるというメリットを有する。
【図面の簡単な説明】
【００１５】
【図１】本発明の第一の実施形態に係る入浴システムの斜視図である。
【図２】本発明の第一の実施形態に係る担架の平面図である。
【図３】図２におけるＡ−Ａ矢視方向の要部断面図である。
【図４】本発明の第一の実施形態に係る担架を背面方向から見た部分拡大斜視図である。
【図５】本発明の第一の実施形態に係る浴槽の上昇動作と担架の傾動との関連を説明する図で、ａ）は浴槽が所定下限位置にある状態、ｂ）は浴槽が上昇途中にある状態、ｃ）は浴槽が所定上限位置にある状態を示すものである。
【図６】本発明の第二の実施形態に係る担架要部の部分断面図である。
【発明を実施するための形態】
【００１６】
以下、図１ないし５を参照しつつ本発明の第一の実施形態について説明する。図１に示すように、本発明の入浴システム１は、浴槽３と担架４とからなる入浴装置２と、ストレッチャー５とから構成される。入浴システム１は、入浴者が仰臥姿勢で横たわる担架４を載せた平面視略長方形状のストレッチャー５の一方長辺方向を、平面視略長方形状の浴槽３の一方長辺方向に対して横付けし両者を係合し、担架４をストレッチャー５上から浴槽３の入浴部６内に設けられる受け部７方向に渡した後、入浴部６内に湯を給湯した浴槽３を上昇させることにより入浴者を湯に浸漬して入浴を行わせるものである。
【００１７】
浴槽３は不図示のパンタグラフや油圧シリンダ等より構成される浴槽昇降手段によって、所定下限位置と所定上限位置の区間を上下に昇降可能に構成され、入浴部６内には、底壁３ａを貫通して鉛直状に延設される支柱部７ａと、この支柱部７ａの上端部に担架４を支持する受け枠部７ｂとから構成される受け部７が設けられている。
入浴部６長辺方向において対向する内壁面の形状は、ストレッチャー５と浴槽３とを係合したときの入浴者の頭部が位置する側の内壁面３ｂが上方から下方にかけて傾斜面６６ないし垂直面に形成され、入浴者の脚部が位置する側の内側面３ｃが階段状に形成されている（図５参照）。
【００１８】
受け枠部７ｂの上面左右端の各位置には、入浴者が仰臥姿勢で載置される担架４を受け枠部７ｂ上の所定位置に案内する案内レール８・８が、所定の間隔を有して浴槽３の短辺と同方向に平行態様に配設されている。受け枠部７ｂの中央部付近には担架４の下面に設けられるセンターロックピン２５が嵌入する嵌入孔２６と、センターロックピン２５が嵌入し担架４と受け部７とがロックされたことを検知する近接センサ９が固着される。図１中、１０は入浴者の肩が湯面から出た場合等に肩口にシャワーを充てる肩掛けシャワーである。
【００１９】
次に、図２における担架４の下側を前側とし、上側を後側として担架４の説明を行う。図２に示すように、担架４は、大別して背もたれ部１１と、臀部１２及び脚受け部１３を備える座部４５と、からなる平面視略長方形状の載置部１４がベースフレーム１５上に載置されて構成される。背もたれ部１１は概ね入浴者の頭部から腰部にかけての範囲を支持し、脚受け部１３は概ね入浴者の脚から下の部位を支持する。
【００２０】
ベースフレーム１５は、載置部１４の前後方向に延在され所定間隔をあけて離間して左右に並行配設されるパイプ状部材２１・２１と、このパイプ状部材２１・２１の各端部に連結され載置部１４の左右方向にわたって横架される側面視逆凹形状の横架材２２・２２とから構成される。各横架材２２の裏面には、受け部７の案内レール８・８上及び後述のストレッチャー５上に配設される案内レール６９・６９上を転動するガイドローラ２３が複数個配設されている。
また、各パイプ状部材２１の外側には介助者が担架４を操作する際に掴む握り手２４が前後方向に延在して設けられる。センターロックピン２５はパイプ状部材２１・２１間に架け渡される連結板５０の左右中央位置に設けられる。
【００２１】
図２、３に示すように、背もたれ部１１は、後側から前側にかけて順次配列される第一の背もたれ部１１ａと第二の背もたれ部１１ｂとを有し、両部間が関節軸１６によって連結され、後述するように第一の背もたれ部１１ａが関節軸１６を支軸として傾動可能になっている。第一の背もたれ部１１ａは入浴者の頭部から背中にかけての部位が載置され、ここには、入浴者の頭部を宛がう枕１７が前後方向に位置調整可能に設けられている。また、第二の背もたれ部１１ｂは入浴者の背中下方から腰部付近にかけての部位が載置される。
【００２２】
同様に脚受け部１３も、後側から前側にかけて順次配列される第一の脚受け部１３ａと第二の脚受け部１３ｂとを有し、両部間が関節軸１８によって連結されている。また、第二の背もたれ部１１ｂの前側と臀部１２の後側も関節軸１９によって、臀部１２の前側と第一の脚受け部１３ａの後側が関節軸２０によって連結されている。載置部１４はパイプ状部材２１に関節軸１９を介して軸着されている。
【００２３】
背もたれ部１１は、第一の背もたれ部１１ａと第二の背もたれ部１１ｂが側面視で略水平状態を維持しつつ全体が一体となって関節軸１９を支軸として傾動可能であって、水平線に対する背もたれ部１１全体の傾斜角度が、０°（フラット状態）、１１°、３３°のいずれかの位置で固定できるようになっている。以下、主に、図３、４を用いて、この構成について説明する。第二の背もたれ部１１ｂ下面に一方部が螺着され前後方向に延在する角管２７側面の中途位置において支持腕３０の一端が回動軸２９により軸着され、この他端に形成される凸部３１がパイプ状部材２１の内側に取着される取着部材３３の案内溝３２に係合している。
【００２４】
支持腕３０は左右に配設され、各支持腕３０の中途位置が連結棒７２にて連結され、この連結棒７２にリンク３４の一方側が連結して設けられている。リンク３４の他方側には入浴介助者が把持できる傾動レバー２８が連結されている。従って、入浴介助者が傾動レバー２８を手動にて操作し、案内溝３２に対する支持腕３０の凸部３１の係合する位置を変更することによって背もたれ部１１全体の角度が上記のいずれかに選択できるようになっている。
より詳しくは、図３中、右上端の水平溝３２ａに凸部３１が係合しているときは、背もたれ部１１全体の角度が０°になり、そこから一段下の水平溝３２ｂに嵌ると１１°の角度になり、さらに、一山を乗り越え左端の水平溝３２ｃに嵌ると３３°の角度となる。
【００２５】
また、第一の背もたれ部１１ａが、浴槽３の上昇動作に随伴して第一の背もたれ部１１ａの水平線に対する傾斜角度が第二の背もたれ部１１ｂの水平線に対する傾斜角度より増角して傾動できるようになっている。以下、この構成について、図３、４を用いて説明する。
第一の背もたれ部１１ａ裏面の左右の各上方位置には、略コ字形状の金具５３が取着されていて、各金具５３の外側方向の面には前後方向に延在する溝５４が形成されている。また、各角管２７後端の内側面に突出片５１が固着され、突出片５１の先端に支軸５２を介して回動自在に軸着される回動片５５の一端が軸着されていて、回動片５５の他端に設けられる挿入ピン５６が溝５４から抜け出ないように溝５４に対して挿通されている。
【００２６】
また、溝５４の後側における金具５３の対向面の間には、対向面にわたって架け渡される回動軸５７を支軸として回動自在なレバー片５８が設けられ、レバー片５８は、回動軸５７に介装され各端がそれぞれレバー片５８及び金具５３に止着される捻りバネ７３（図４参照）によって、図３中、右回り方向に付勢されている。
レバー片５８の後端には傾動用ローラ６０が軸着され、傾動用ローラ６０のローラ軸６０ａは金具５３の対向面の後端部にそれぞれ形成される長孔５９に抜け出ないように挿通され、傾動用ローラ軸６０ａが長孔５９内を遊動自在となっている。
【００２７】
傾動用ローラ６０の軸着位置と反対側のレバー片５８の前端には突出ピン６１が担架４の外側方向に向かって突出状に設けられ、金具５３の内側寄り面の前端付近に回動軸６４により回動可能なフック形状の係止部材６３が突出ピン６１に係止可能に設けられている。回動軸６４には捻りバネ６２が介装され、その一端及び他端がそれぞれ係止部材６３及び金具５３に止着され、係止部材６３は捻りバネ６２によって突出ピン６１に係止される方向へ付勢され、金具５３の内側面により突出されるボルト７５に係止部材６３に形成される凸部が当接することによって図３に示す位置で右回り方向の回動が規制されるようになっている。
【００２８】
係止部材６３が突出ピン６１に係止されている状態にあっては、挿入ピン５６が溝５４内を移動不自在になっていて回動片５５が支軸５２を支点として回動できないので、第一の背もたれ部１１ａの関節軸１６を支軸とする傾動が防止される。このレバー片５８の突出ピン６１と係止部材６３とは、第一の背もたれ部１１ａが浴槽３の上昇動作以外の動作によって傾動することを防止する傾動防止手段６５の主たる構成要素となっている。
【００２９】
一方側が臀部１２下面に螺着されるととともに他方側が第二の脚受け部１３ｂの先端付近まで延在する角管３５が左右に平行状に設けられ、各角管３５の外側面には逆凹形状の溝３６が形成されたプレート３７が取着されている。左右の溝３６に対して操作棒３８が挿通されており、この操作棒３８には、一端が操作棒３８に固定されるとともに他端が関節軸１８に回動自在に取着される連結片７１が連結されている。操作棒３８両端には入浴介助者が把持する把持部材３９（図１参照）が設けられている。
【００３０】
従って、担架４は、入浴介助者が把持部材３９を把持し溝３６に対する操作棒３８の嵌る位置を変更することによって、脚受け部１３が水平状態と、関節軸１８を頂上とする山形状態に形態を変更できるようになっている。膝を立てた姿勢で入浴させる場合は、脚受け部１３を山形状態に変更する。
【００３１】
各角管３５の前後中央位置付近の内側面には水平溝４０が形成されるプレート４１が固着され、この水平溝４０には一端が横架材２２に回動自在に軸着された回動片４２の他端に形成される凸部４６が嵌っている。各角管３５先端部の下面には転動ローラ４３が設けられている。  
【００３２】
従って、浴槽３がある位置まで上昇すると階段面４４に転動ローラ４３が当接し、さらに浴槽３が上昇動作すると、座部４５（臀部１２と脚受け部１３）が浴槽３の上昇動作に随伴して持ち上げられる結果として、座部４５全体が関節軸１９を支軸として座部４５の前側が上方に位置するように一体となり傾動する構成となっている。
【００３３】
また、角管３５先端の外側面には円弧溝４８が形成される円弧状プレート４７が設けられ、この円弧溝４８には、第二の脚受け部１３ｂ前端近傍の下面に取着され不図示のバネ等によって円弧溝４８方向に通常付勢される操作ピン４９が挿入されている。両側の操作ピン４９を円弧溝４８から抜脱すると、脚受け部１３全体が関節軸２０を支軸として上方に跳ね上げることが可能になっており、脚受け部１３裏面の清掃等を行う際に利用する。
【００３４】
平面視略長方形状のストレッチャー５は、入浴者が仰臥姿勢で横たわる担架４を上方に支持し浴槽３が設置される浴室まで入浴者を運搬するとともに、ストレッチャー５の一方長辺方向を浴槽３の一方長辺方向に横付けし係合した後、担架４を受け部７上へ渡したり、逆に受け部７から受け入れたりする役割を果たすものである。ストレッチャー５上において、担架４は載置部１４が略水平状のフルフラット状態になる姿勢がとれるようになっていて、寝台等に横たわる入浴者を載置部１４上に移乗へさせる動作を行い易くなっている（図１参照）。
【００３５】
前述したように水平線に対する背もたれ部１１全体の傾斜角度は、ストレッチャー５上において、０°のほか、１１°または３３°の傾斜角度にて固定できるようになっている。１１°の傾斜角度は、担架４を受け部７側へ渡す場合等に設定し、一方、３３°の角度は、背中を洗う際やフルフラット状態では横臥位姿勢をとることのできない入浴者の場合等に用いる。
【００３６】
また、詳細な説明は省略するが、ストレッチャー５は、前後左右の四箇所位置に配設される四節平行リンク６７と、この四節平行リンク６７を同期駆動させる不図示の駆動動力源とによって、担架４を支持する高さ位置を調節可能となっているので、入浴者の体を洗浄する際など必要に応じて高さ位置の調節を行うことが可能である。ストレッチャー５の担架４を支持する高さ位置は、通常はストレッチャー５を浴槽３に横付けし係合すると、ストレッチャー５の案内レール６９・６９と受け部７の案内レール８・８とが同高に同一直線上になる位置に設定されている。図１中、６８は入浴介助者が担架４を受け部７へ渡したり、逆に受け部７から担架４をストレッチャー５上に受け入れたりする際に搭乗するステップ台である。
【００３７】
以下、前述した入浴システム１及び入浴装置２の作用について説明する。浴槽３は所定下限位置にあり、ストレッチャー５上の担架４の載置部１４はフルフラット状態にあるものとする。
寝台等に横たわる入浴者を載置部１４上に移乗させる。入浴者の身長に合わせて枕１７の位置を前後に調整する。ストレッチャー５を操縦し入浴者の脚部側が浴槽３の階段面４４側に位置するように、担架４の一方長辺方向を浴槽３の一方長辺方向に対して横付けし係止する。担架４がストレッチャー５上に載置されているときは、係止部材６３が突出ピン６１に係止され傾動防止手段６５が作用しており、第一の背もたれ部１１ａと第二の背もたれ部１１ｂとは一体となって傾動し、第一の背もたれ部１１ａは関節軸１６を支軸として傾動不自在となっている。
【００３８】
担架４の受け部７方向への渡し動作に際して、最初に、担架４の傾動用ローラ６０と、浴槽３の肩掛けシャワー１０が干渉しないように、背もたれ部１１全体の傾斜角度が１１°となるよう前傾動させる。脚受け部１３は、水平状態、または、入浴時に入浴者の浴湯内へのずり込み等を防止するため、握り孔７４に手指を差し込み脚受け部１３を持ち上げた状態で、把持部材３９を操作し溝３６に対する操作棒３８の嵌る位置を変更することによって、山形状態に変更しておいてもよい。
【００３９】
その後、入浴介助者はストレッチャー５上においてロックされている担架４のロックを解除し（図示省略）、ステップ台６８に搭乗して握り手２４を握持し担架４を浴槽３方向へスライドさせて受け部７上面へ渡す。担架４のセンターロックピン２５が受け枠部７ｂの嵌入孔２６に嵌入し近接センサ９がＯＮとなり、近接センサ９によって担架４がロックされたことが検知されると、浴槽３の上昇動作が可能となる（図５（ａ）の状態となる）。
【００４０】
浴槽３の傾斜面６６が担架４の傾動用ローラ６０に当接する上昇位置までは、傾動防止手段６５が作用しており、背もたれ部１１全体の傾斜角度は、浴槽３の上昇動作の開始前の１１°を維持しているが、浴槽３がある上昇位置に至ると浴槽３の傾斜面６６が傾動用ローラ６０に当接し、さらに浴槽３が上昇動作を続けると、傾動用ローラ６０が長孔５９の範囲内で僅かに押し上げられ、レバー片５８が回動軸５７を支点として、図３中、左回りに回動する結果として、突出ピン６１に対する係止部材６３の係止状態が解除される（傾動防止手段６５が作用しなくなる）。これによって、以後浴槽３の上昇動作に随伴して、第一の背もたれ部１１ａが関節軸１６を支軸として前傾動できるようになる。
【００４１】
挿入ピン５６が前側溝５４ａの内壁に当接する位置にて第一の背もたれ部１１ａの傾動が規制される（図５（ｂ）の状態となる）。浴槽３がさらに上昇動作を続けると、浴槽３の上昇動作に随伴し今度は第二の背もたれ部１１ｂが関節軸１９を支軸として前傾動を開始する。このとき支持腕３０の凸部３１は水平溝３２ｂ下面に摺接しながら前方向へ移動する。
浴槽３が所定上限位置まで上昇すると、浴槽３は上昇動作を自動的に停止し、このときの第一の背もたれ部１１ａの水平線に対する傾斜角度は３４°となり、一方、第二の背もたれ部１１ｂの水平線に対する傾斜角度は１９°となる（図５（ｃ）の状態となる）。従って、低身長の入浴者が入浴を行う場合であっても、後頭部や耳が湯に浸かる心配はなく、安全に入浴を行うことができる。
【００４２】
一方、浴槽３の上昇過程において、ある位置まで浴槽３が上昇すると階段面４４に担架４の転動ローラ４３が当接し、さらに浴槽３が上昇動作を行うと、座部４５（臀部１２と脚受け部１３）が浴槽３の上昇動作に随伴し持ち上げられる結果として、座部４５全体が関節軸１９を支軸として自動的に上方に傾動する。浴槽３が所定上限位置に至り上昇動作が停止した際の座部４５の水平線に対する傾斜角度は５°となるように設定されている。これによって、入浴中の浮力による入浴者のずり込みを防止することができる。
【００４３】
入浴が完了すると、浴槽３を下降動作させて退浴を行う。浴槽３の下降動作に随伴して、座部４５が水平状態まで復帰傾動することになる。
その一方で、浴槽３の下降動作に随伴して、支持腕３０の凸部３１が水平溝３２ｂ下面に摺接しながら後方向へ移動し水平溝３２ｂの後端内壁にて移動が規制され、第二の背もたれ部１１ｂの傾斜角度が１９°から１１°になる位置まで復帰するよう後傾動する。
【００４４】
さらに浴槽３が下降動作を続けると、挿入ピン５６が後側溝５４ｂの内壁に当接する位置にて第一の背もたれ部１１ａの後傾動が規制され、第一の背もたれ部１１ａの傾斜角度が１１°まで復帰する。このとき第一の背もたれ部１１ａは角管２７にて支持されるように設計されている。
【００４５】
また、傾斜面６６と傾動用ローラ６０が非当接状態になると、傾動用ローラ６０が自重で長孔５９内を下方に移動しレバー片５８が回動軸５７を支点として図３中、右回りに回動することになり、これに連動して係止部材６３がレバー片５８の突出ピン６１に自動的に係止される（傾動防止手段６５が作用する）。
浴槽３が所定下限位置まで下降した後、入浴介助者は、担架４と受け部７とのロックを解除して担架４を案内レール６９上へスライドさせてストレッチャー５上で受け取る。
【００４６】
次に、図６を参照して本発明の第二の実施形態を説明する。尚、図６において、図１ないし５と同一又は同等の構成要素については、同一符号を付記して、特に説明を要する場合を除いて構成要素の説明は省略する。第二の実施形態は、第一の実施形態の担架４に、浴槽３の上昇動作に随伴しない状態、例えば、担架４がストレッチャー５上に載置されている状態等であっても、関節軸１６を支軸として第一の背もたれ部１１ａを前傾動させて固定できるようにした構成を付加したものである。
【００４７】
即ち、第一の実施形態における前側溝５４ａに連続するとともに溝５４方向に直交する上方向に挿入ピン５６が嵌入する嵌入溝７０を形成し、傾動防止手段６５を手動操作にて作用させたり、逆に作用しないように適宜変更できるようにしたものである。
具体的には、左右の傾動用ローラ６０のローラ軸６０ａを連結し、これを把持して傾動用ローラ６０を長孔５９内において上方に手動で持ち上げることにより、突出ピン６１に係止されている係止部材６３の係止状態を解除し、傾動防止手段６５が作用しないように変更操作する。
【００４８】
この状態で第一の背もたれ部１１ａを上方に持ち上げるようにして前傾動させて、挿入ピン５６を嵌入溝７０に嵌入させた後、第一の背もたれ部１１ａから手を離すことにより、第一の背もたれ部１１ａを前傾動させた状態にて固定できる。よって、この姿勢状態を保ったまま担架４をストレッチャー５上から受け部７上へ渡して入浴を行うことも可能である。
【００４９】
尚、本発明は前述した実施形態に限定されることなく、本発明の趣旨を逸脱しない範囲において適宜変更が可能である。
【産業上の利用可能性】
【００５０】
本発明は、高齢者や身体障害者等の入浴者を仰臥位姿勢で浴槽に浸漬させ入浴させる入浴装置及び入浴システムに適用できるもので、産業上の利用可能性は高いものである。
【符号の説明】
【００５１】
１    入浴システム
２    入浴装置
３    浴槽
４    担架
５    ストレッチャー
１１    背もたれ部
１１ａ  第一の背もたれ部
１１ｂ  第二の背もたれ部
１６    関節軸
１９    関節軸
６５    傾動防止手段
【図１】
0005857376.tif 000002
【図２】
0005857376.tif 000003
【図３】
0005857376.tif 000004
【図４】
0005857376.tif 000005
【図５】
0005857376.tif 000006
【図６】
0005857376.tif 000007